(57)【要約】【課題】少ない標本数で短時間に位相連続ＦＳＫ変調波の搬送周波数を高精度に求めることができるようにする。【解決手段】位相推移値収集部２３は、被測定信号Ｓを受けた復調処理部２１から出力されるシンボルデータ列が、パターン設定部２２によって予め設定された参照パターンに一致する毎に、その中間シンボルデータの位相推移値を参照パターン毎に収集する。搬送周波数演算部２４は、参照パターン毎に収集された位相推移値のうち、互いに反転するパターンについての位相推移値の平均値に基づいて、基準値に対する搬送周波数のずれによって生じる１シンボル当たりの移相量を求め、その移相量から基準値に対する搬送周波数のずれを求め、被測定信号Ｓの搬送周波数ｆｃを求める。【選択図】　　　　図１
2004088171.tif 000002
【特許請求の範囲】
【請求項１】
位相連続ＦＳＫ変調波を受けてその復調処理を行い、シンボルデータおよびシンボルデータに対応した位相推移値を順次出力する復調処理部（２１）と、
３以上の所定数連続したシンボルからなり、互いに反転した少なくとも一組の参照パターンを設定するパターン設定部（２２）と、
前記復調処理部から前記参照パターンと一致するシンボルデータ列が出力されたとき、該シンボルデータ列の中間のシンボルデータに対応する位相推移値を、前記参照パターン毎に収集する位相推移値収集部（２３）と、
前記位相推移値収集部によって収集された位相推移値のうち、互いに反転した少なくとも一組の参照パターンに対応する位相推移値に基づいて、前記位相連続ＦＳＫ変調波の搬送周波数を算出する搬送周波数演算部（２４）とを備えた位相連続ＦＳＫ変調波の搬送周波数測定装置。
【発明の詳細な説明】
【０００１】
【発明の属する技術分野】
本発明は、位相連続ＦＳＫ変調波の搬送周波数を、短時間に正確に測定するための技術に関する。
【０００２】
【従来の技術】
一般に有線、無線を問わず通信を行う場合、予め設定された通信規格で通信を行わなければならない。また、隣接チャネルで行われている通信に対して妨害を与えてはならない。
【０００３】
しかし、通信機器の不良等で、通信に用いる信号の搬送周波数が変動すると、その通信品質が劣化し、また、隣接チャネルの通信に妨害を与える。
【０００４】
このため、この種の通信機器が実際に出力する位相連続ＦＳＫ変調波（例えばＧＭＳＫ変調波）の搬送周波数が所望の周波数からどの程度ずれているかを正確に調べる必要がある。
【０００５】
この位相連続ＦＳＫ変調波の搬送周波数を測定する方法として、従来では、測定対象の位相連続ＦＳＫ変調波のスペクトラムをＦＦＴ（高速フーリエ変換）によって測定し、その測定値から搬送周波数を求める方法が採用されていた。
【０００６】
即ち、測定対象の位相連続ＦＳＫ変調波に対するＦＦＴ処理によって図１２のＡのようなスペクトラムが測定されたとき、その変調波の帯域を含む所定の周波数範囲で、各周波数毎のスペクトラム値を周波数の低い方（高い方でもよい）から積分し、その積分値Ｂが周波数範囲全体の積分値Ｂｍの半分になった位置の周波数を求め、これを搬送周波数ｆｃとしていた。
【０００７】
【発明が解決しようとする課題】
しかしながら、上記のように、位相連続ＦＳＫ変調波のスペクトラムをＦＦＴ処理によって求め、その積分演算によって搬送周波数を求める方法では、スペクトラムに対する平均処理回数を多くおこなって高い精度で求める必要があり、その平均処理のためにスペクトラムのデータの標本値を大量に処理することが必要となり、その大量の標本値に対する演算処理に搬送周波数が得られるまでの時間が非常に長くなるという問題があった。
【０００８】
本発明は、この問題を解決して、少ない標本値で正確に位相連続ＦＳＫ変調波の搬送周波数を短時間に得ることができる位相連続ＦＳＫ変調波の搬送周波数測定装置を提供することを目的としている。
【０００９】
【課題を解決するための手段】
前記目的を達成するために、本発明の位相連続ＦＳＫ変調波の搬送周波数測定装置は、
位相連続ＦＳＫ変調波を受けてその復調処理を行い、シンボルデータおよびシンボルデータに対応した位相推移値を順次出力する復調処理部（２１）と、
３以上の所定数連続したシンボルからなり、互いに反転した少なくとも一組の参照パターンを設定するパターン設定部（２２）と、
前記復調処理部から前記参照パターンと一致するシンボルデータ列が出力されたとき、該シンボルデータ列の中間のシンボルデータに対応する位相推移値を、前記参照パターン毎に収集する位相推移値収集部（２３）と、
前記位相値収集部によって収集された位相推移値のうち、互いに反転した少なくとも一組の参照パターンに対応する位相推移値に基づいて、前記位相連続ＦＳＫ変調波の搬送周波数を算出する搬送周波数演算部（２４）とを備えている。
【００１０】
【発明の実施の形態】
以下、図面に基づいて本発明の実施の形態を説明するが、その前に本発明の原理について説明する。
【００１１】
本発明の位相連続ＦＳＫ変調波の搬送周波数測定装置は、位相連続ＦＳＫ変調波を復調して得られたシンボルデータとそれに対する位相推移値を用いて搬送周波数を測定するものであり、シンボルデータとそれに対する位相推移値を求めるために、入力された被測定信号（位相連続ＦＳＫ変調波）をベースバンド信号に変換する。
【００１２】
この被測定信号（位相連続ＦＳＫ変調波）をベースバンド信号に変換するために、例えば、通信機器の公称搬送周波数、通信機器が用いていると思われる搬送周波数、またはそれに近い周波数の値を用いており、この周波数を搬送周波数の基準値としている。
【００１３】
そして、被測定信号の搬送周波数が基準値に対してずれていない場合、シンボルの変移と位相推移との関係を表す位相トレリスに上下対称のシンボル変移パターンが描かれるが、被測定信号の搬送周波数が基準値に対してずれていると、位相トレリス上で上下非対称のシンボル変移パターンが描かれることになる。
【００１４】
このように、本発明は、位相連続ＦＳＫ変調波の搬送周波数が基準値に対してずれている場合に、シンボルデータに対する位相推移値は、基準値に対する搬送周波数のずれの分だけ移相して、上下どちらかに変移し、上下非対称のシンボル変移パターンとなることに着目したものである。
【００１５】
なお、前記したように、位相連続ＦＳＫ変調方式の一つであるＧＭＳＫ変調方式は、ＮＲＺ（Ｎｏｎ−Ｒｅｔｕｒｎ　ｔｏ　Ｚｅｒｏ）のベースバンド信号を波形整形フィルタ（ガウスフィルタ）で波形整形して得られる信号によって周波数変調を行う位相連続ＦＳＫ変調方式であり、復調される位相推移は必然的に前後の符号による干渉を受けるが、周知のように、ガウス関数は原点から離れるにしたがって急激に減衰するという特徴を有している。具体的には、原点からの距離の二乗に比例して指数関数的に減衰する。
【００１６】
つまり、復調される位相推移の符号間干渉は最隣接の符号の影響が支配的で、それ以上離れたシンボルの影響は無視できる程度に微小である。
【００１７】
したがって、３シンボルあるいは５シンボル程度の符号間干渉を考慮すれば、十分な精度で位相推移を検出でき、その検出値から搬送周波数のずれを測定することができる。
【００１８】
図１は、上記原理による搬送周波数測定装置２０の構成を示している。
この搬送周波数測定装置２０は、復調処理部２１、パターン設定部２２、位相推移値収集部２３および搬送周波数演算部２４によって構成されている。
【００１９】
復調処理部２１は、入力される被測定信号（位相連続ＦＳＫ変調波）Ｓを復調して、「１」と「０」のいずれかのシンボルデータｄとそのシンボルデータ間の位相推移値Δφとを同期出力する。
【００２０】
この復調処理部２１は、例えば図２に示すように、ベースバンド変換手段２１ａ、位相検出手段２１ｂ、シンボルクロック同期処理手段２１ｃ、位相標本化手段２１ｄ、位相推移値検出手段２１ｅおよびシンボル判定手段２１ｆによって構成されている。
【００２１】
ベースバンド変換手段２１ａは、入力される被測定信号Ｓを、前記した基準値ｆｒに対応する周波数のローカル信号によってベースバンド信号に周波数変換している。
【００２２】
位相検出手段２１ｂは、ベースバンド変換手段２１ａから出力されるベースバンド信号に対してその瞬時位相を検出する。
【００２３】
シンボルクロック同期処理手段２１ｃは、ベースバンド変換手段２１ａから出力されるベースバンド信号に対して既知のシンボルクロック周波数ｆｓｙｍ　によるシンボルクロック同期処理を行う。
【００２４】
位相標本化手段２１ｄは、位相検出手段２１ｂで検出された位相に対して、シンボルクロック同期処理手段２１ｃで得られたタイミングで標本化する。
【００２５】
位相推移値検出手段２１ｅは、位相標本化手段２１ｄで得られた位相が、位相標本化手段２１ｄでその１つ前に求められた位相に対して推移した量を位相推移値Δφとして順次を求める。
【００２６】
シンボル判定手段２１ｆは、位相推移値検出手段２１ｅによって得られる位相推移値Δφの符号から、「１」または「０」のいずれかのシンボルデータｄを求める。
【００２７】
復調処理部２１によって求められたシンボルデータｄと位相推移値Δφは、位相推移値収集部２３に出力される。
【００２８】
パターン設定部２２は、３以上の所定数連続したシンボルからなり、互いに反転した少なくとも一組の参照パターンを設定するためのものであり、ここでは、３つの連続するシンボルからなる８つのパターン「０００」〜「１１１」の参照パターンが設定されている。
【００２９】
位相推移値収集部２３は、図３に示すように、復調処理部２１から出力されるシンボルデータｄと位相推移値Δφとを受け、パターン設定部２２によって設定された参照パターン（この場合３シンボルによるパターン）と一致するシンボルデータ列が復調処理部２１から出力されたとき、そのシンボルデータ列の中間のシンボルデータに対応する位相推移値を参照パターン毎に区別して収集する。
【００３０】
なお、ここでは、前記した８つの参照パターンにそれぞれ対応したアドレス領域が設けられているメモリ２３ａに対して、復調処理部２１から連続して出力された３つのシンボルデータｄ（ｉ−１）、ｄ（ｉ）、ｄ（ｉ＋１）で指定されるアドレス領域に、その中間のシンボルｄ（ｉ）に対応する位相推移値Δφ（ｉ）を記憶する。
【００３１】
搬送周波数演算部２４は、位相推移値収集部２３で各参照パターン毎に収集された位相推移値のうち、互いに反転するパターンについての位相推移値の平均演算によって、被測定信号Ｓの搬送周波数の基準値ｆｒに対する周波数ずれを求め、その周波数ずれと基準値ｆｒとから、被測定信号Ｓの搬送周波数ｆｃを求める。
【００３２】
即ち、ある一つ参照パターンＰ（例えばＰ＝０１０）について得られた複数の位相推移値Δφ（Ｐ）と、その参照パターンＰを反転した参照パターンＰｉｎｖ　の（例えばＰｉｎｖ　＝１０１）について得られた複数の位相推移値Δφ（Ｐｉｎｖ　）の平均演算によって、基準値ｆｒに対する被測定信号Ｓの搬送周波数のずれによる位相推移の１シンボル当たりの移相量Δθを求め、この移相量Δθから搬送周波数のずれを求める。
【００３３】
この搬送周波数演算部２４は、例えば図４に示すように、第１の平均演算手段２４ａ、第２の平均演算手段２４ｂ、第３の平均値演算手段２４ｃおよび搬送周波数算出手段２４ｄを有している。
【００３４】
第１の平均演算手段２４ａは、メモリ２３ａに記憶された位相推移値の参照パターン毎の平均値Ｈ（１１１）〜Ｈ（０００）を求める。
【００３５】
例えば、図１に示しているように、各パターン毎にそれぞれｎ１、ｎ２、…、ｎ８個の位相推移値が得られているとき、次の演算で、各平均値Ｈ（１１１）〜Ｈ（０００）を求める。
【００３６】
Ｈ（１１１）＝［Δφ１１１　（１）＋Δφ１１１　（２）＋…＋Δφ１１１　（ｎ１）］／ｎ１
Ｈ（１１０）＝［Δφ１１０　（１）＋Δφ１１０　（２）＋…＋Δφ１１０　（ｎ２）］／ｎ２
Ｈ（１１１）＝［Δφ１０１　（１）＋Δφ１０１　（２）＋…＋Δφ１０１　（ｎ３）］／ｎ３
…………
Ｈ（０００）＝［Δφ０００　（１）＋Δφ０００　（２）＋…＋Δφ０００　（ｎ８）］／ｎ８
【００３７】
第２の平均演算手段２４ｂは、各参照パターン毎に求めた平均値Ｈ（０００）〜Ｈ（１１１）のうち、互いにパターンが反転しているもの同士の平均値Ｇを次のように求める。
【００３８】
Ｇ（１）＝［Ｈ（１１１）＋Ｈ（０００）］／２
Ｇ（２）＝［Ｈ（１１０）＋Ｈ（００１）］／２
Ｇ（３）＝［Ｈ（１０１）＋Ｈ（０１０）］／２
Ｇ（４）＝［Ｈ（１００）＋Ｈ（０１１）］／２
【００３９】
第３の平均値演算手段２４ｃは、上記求めた４つの平均値Ｇ（１）〜Ｇ（２）の平均値Ｅを、
Ｅ＝［Ｇ（１）＋Ｇ（２）＋Ｇ（３）＋Ｇ（４）］／４
の演算によって求める。この平均値Ｅは、前記した１シンボル当たりの移相量Δθに対応した値である。
【００４０】
搬送周波数算出手段２４ｄは、平均値Ｅと所定のシンボルレートｆｓｙｍ　とから、次の演算、
Δｆ＝Ｅ・ｆｓｙｍ　／２π
によって、前記した搬送周波数の基準値ｆｒに対する周波数ずれΔｆを算出し、この基準値ｆｒと周波数ずれΔｆとの加算演算によって、被測定信号Ｓの搬送周波数ｆｃを求める。
【００４１】
次に、この搬送周波数測定装置２０の動作について説明する。
被測定信号Ｓが入力されると、復調処理部２１からは、「１」と「０」のいずれかのシンボルデータｄと位相推移値Δφとが順次出力され、位相推移値収集部２３によって、各参照パターンに対応したメモリ２３ａのアドレス領域に、中間のシンボルデータに対応する位相推移値が順次記憶される。
【００４２】
そして、所定数の位相推移値がメモリ２３ａに記憶された段階で、搬送周波数演算部２４は、各参照パターン毎の位相推移値についてのそれぞれの平均値Ｈ（１１１）〜Ｈ（０００）を求め、それらの平均値の互いにパターンが反転した組同士の平均値Ｇ（１）〜Ｇ（４）を求める。
【００４３】
ここで、被測定信号Ｓの搬送周波数ｆｃが基準値ｆｒに対してずれていない場合、互いに反転しているパターン同士について復調処理部２１から出力されるシンボルデータｄの変移と、位相推移の関係は、図５〜図８の位相トレリスで表すことができる。
【００４４】
図５は、「１１１」と「０００」のパターンの位相推移Ｑ（１１１）とＱ（０００）を示すものであり、この場合、符号間干渉がほとんどないので位相はほぼ直線的に理想点間を推移する。
【００４５】
また、図６は、「１１０」と「００１」のパターンの位相推移Ｑ（１１０）とＱ（００１）を示すものであり、この場合、２ビット目と３ビット目のシンボル間に符号間干渉が生じ理想点からずれて推移する。
【００４６】
また、図７は、「１００」と「０１１」のパターンの位相推移Ｑ（１００）とＱ（０１１）を示すものであり、この場合、１ビット目と２ビットのシンボル間に符号間干渉が生じ理想点からずれて推移する。
【００４７】
また、図８は、「１０１」と「０１０」のパターンの位相推移Ｑ（１０１）とＱ（０１０）を示すものであり、この場合、１ビット目と２ビット目および２ビット目と３ビット目のシンボル間に符号間干渉が生じ理想点からずれて推移する。
【００４８】
また、上記した各組の位相推移Ｑ（Ｐ）とＱ（Ｐｉｎｖ　）は、互いのパターンが反転して時間軸上で対称性を有しており、しかも被測定信号Ｓの搬送周波数にずれがないため上下対称となり、その中間の位相推移、即ち、上記算出した平均値Ｈ（Ｐ）、Ｈ（Ｐｉｎｖ　）は、符号が反対で絶対値が等しくなるので、前記した平均値Ｇ（１）〜Ｇ（４）はともに０となり、その平均値Ｅも０となる。
【００４９】
したがって、搬送周波数演算部２４の演算によって得られる周波数ずれΔｆも０となり、得られる搬送周波数ｆｃは基準値ｆｒと等しい。
【００５０】
ところが、搬送周波数ｆｃが基準値ｆｒに対してずれている被測定信号Ｓが入力された場合には、復調処理部２１から出力される位相推移値は、その基準値ｆｒに対する搬送周波数のずれΔｆの分だけ移相される。
【００５１】
例えば、周波数ずれΔｆが正の場合（高い方にずれている場合）、図９のように、「１０１」と「０１０」の位相推移Ｑ（１０１）、Ｑ（０１０）は、周波数ずれΔｆの分だけ位相が１シンボル当たりΔθずつ進んで、上方にシフトし、上下非対称となる。
【００５２】
また、周波数ずれΔｆが負の場合（低い方にずれている場合）、図１０のように、位相推移Ｑ（１０１）、Ｑ（０１０）は、周波数ずれΔｆの分だけ位相が１シンボル当たりΔθずつ遅れて、下方にシフトし、上下非対称となる。
【００５３】
なお、図９、図１０において、直線Ｃは周波数ずれΔｆによって生じる位相変化分を表している。
【００５４】
ここで、シンボル間の位相推移値Δφは、周波数ずれがないときの位相推移値をΔφ′とすれば、
Δφ＝Δφ′＋Δθ
と表される。
【００５５】
したがって、互いに反転したパターン（Ｐ、Ｐｉｎｖ　）の中間シンボルに対応した位相推移値Δφ（Ｐ）、Δφ（Ｐｉｎｖ　）は、それぞれ
Δφ（Ｐ）＝Δφ′（Ｐ）＋Δθ
Δφ（Ｐｉｎｖ　）＝Δφ′（Ｐｉｎｖ　）＋Δθ
となる。
【００５６】
ここで、周波数ずれがないときの位相推移値Δφ′（Ｐ）、Δφ′（Ｐｉｎｖ　）は、パターンの対称性から絶対値が等しく、符号が反対であるからその和は０である。
【００５７】
したがって、両者の平均値Δφａｖは、
2004088171.tif 000003
となり、周波数ずれΔｆによる１シンボル当たりの移相量Δθを求めることができる。
【００５８】
なお、実際には、上記したように、搬送周波数演算部２４において、この中間のシンボルデータについて各参照パターン毎に得られた平均値Ｈ（１１１）〜Ｈ（０００）のうち、互いに反転したパターン同士の各平均値Ｇ（１）〜Ｇ（４）およびこれらをさらに平均化することで、１シンボル当たりの移相量Δθに対応した値Ｅを正確に得て、その平均値Ｅとシンボルレートｆｓｙｍ　とから基準値ｆｒに対する周波数ずれΔｆを求め、搬送周波数ｆｃを求めている。
【００５９】
このように、実施形態の搬送周波数測定装置２０では、復調処理部２１から出力されるシンボルデータ列が参照パターンに一致したときに、その中間シンボルデータの位相推移値を参照パターン毎に収集し、その位相推移値のうち、互いに反転するパターンについての位相推移値の平均値に基づいて、位相連続ＦＳＫ変調波の搬送周波数の基準値ｆｒに対するずれΔｆを求めて、搬送周波数を求めているため、従来のＦＦＴ処理と積分演算処理による測定方法に比べて格段に少ない標本数で精度の高い周波数測定を短時間に行なうことができる。
【００６０】
なお、ここでは、３つの連続したシンボルからなる８種類のパターン全てについての中間シンボルの位相推移を収集し、その平均値Ｈ（１１１）〜Ｈ（０００）を求め、互いにパターンが反転する平均値の組の全てについて平均値Ｇ（１）〜Ｇ（４）を求め、さらに、その平均値Ｇ（１）〜Ｇ（４）を平均化して、周波数ずれΔｆを求めていたが、これは本発明を限定するものではない。
【００６１】
例えば、３つの連続したシンボルからなる８種類のパターンのうち、出現頻度の高い一組のパターン、例えば前記した「０１０」と「１０１」のパターンの組のみについて位相推移値を収集し、それらの位相推移値の平均値Ｈ（０１０）、Ｈ（１０１）を求め、その平均Ｇ（４）を求め、この平均値Ｇ（４）とシンボルレートｆｓｙｍ　とから、次の演算、
Δｆ＝Ｇ（４）・ｆｓｙｍ／２π
によって、周波数ずれΔｆを求めてもよい。
【００６２】
また、上記した１組だけでなく、４組のパターンの組合せのうち、２組あるいは３組を演算対象としてもよい。
【００６３】
また、パターン設定部２２で設定する参照パターンのシンボル数を５つにしてもよい。
【００６４】
この場合でも、前記同様に、５つの連続したシンボルからなる３２種類のパターン全てについての中間シンボルの位相推移値を収集し、そのパターン毎の平均値Ｈ（１１１１１）〜Ｈ（０００００）を求め、互いに反転するパターンの平均値の１６組の全てについて平均値Ｇ（１）〜Ｇ（１６）を求め、さらに、その平均値Ｇ（１）〜Ｇ（１６）を平均化して、１シンボル当たりの移相量Δθを求め、周波数ずれΔｆを求めることで、搬送周波数を求めることができる。
【００６５】
この場合には、隣々接の符号との符号間干渉を考慮したものとなるので、精度をさらに高くすることができる。
【００６６】
また、参照パターンのシンボル数を５つにした場合、特定の組のパターンを演算対象としてもよい。
【００６７】
例えば、図１１に示すように、「０１０００」と「１０１１１」のパターンの位相推移Ｑ（０１０００）、Ｑ（１０１１１）の各中間シンボルの位相推移の平均Ｈ（０１０００）、Ｈ（１０１１１）を求めて、両者の平均値から１シンボル当たりの移相量Δθを求め、基準値ｆｒに対する搬送周波数のずれを前記同様に算出して、搬送周波数を求める。
【００６８】
また、１６組のパターンの組合せのうち、２組〜１５組のいずれかを演算対象としてもよい。
【００６９】
また、参照パターンのシンボル数は、３以上の奇数、あるいは４以上の偶数であってもよく、そのシンボル数をＭとすると、Ｍが奇数の場合、中間シンボルは（Ｍ＋１）／２番目のシンボルとなり、Ｍが偶数の場合、中間シンボルはＭ／２番目あるいは（Ｍ／２）＋１番目のシンボルとなる。
【００７０】
また、前記したように、全ての参照パターンについての中間シンボルの位相推移値をメモリ２３ａに記憶しておき、搬送周波数演算部２４が、メモリ２３ａに記憶した位相推移値のうち、互いに反転したパターンで、出現頻度が高く且つ出現頻度がほぼ等しい組を選定して、前記した演算処理を行なってもよい。
【００７１】
また、前記説明では、位相連続ＦＳＫ信号のうち１つのシンボルが「０」か「１」のいずれかである２値ＦＳＫ信号について説明したが、２値以外のものについても本発明を同様に適用できる。
【００７２】
例えば、１つのシンボルが「００」、「０１」、「１０」、「１１」のいずれかをとる位相連続４値ＦＳＫ変調波（変調指数０．７５）の場合には、３つ（４つ以上でもよい）連続したシンボルからなる全てのパターンは２４（＝４×６）種類であり、位相推移値収集部２３において、２４種類のパターン全てについての中間シンボルの位相推移値をメモリ２３ａに記憶し、搬送周波数演算部２４において、収集した位相推移値のパターン毎の平均値Ｈ（１）〜Ｈ（２４）を求め、互いに反転するパターンの１２組の全てについて平均値Ｇ（１）〜Ｇ（１２）をそれぞれ求め、さらに、その平均値Ｇ（１）〜Ｇ（１２）を平均化して、１シンボル当たりの移相量Δθを求め、周波数ずれΔｆを求めて、搬送周波数を求める。また、いずれか１組を演算対象としてもよいし、２組〜１１組の反転パターンの組を演算対象としてもよい。
【００７３】
【発明の効果】
以上説明したように、本発明の位相連続ＦＳＫ変調波の搬送周波数測定装置は、復調処理部から出力されるシンボルデータ列が参照パターンに一致したときに、その中間シンボルデータの位相推移値を参照パターン毎に収集し、その位相推移値のうち、互いに反転するパターンについての位相推移値の平均値に基づいて、位相連続ＦＳＫ変調波の搬送周波数を求めている。
【００７４】
このため、少ない標本数で精度の高い周波数測定を短時間に行なうことができる。
【図面の簡単な説明】
【図１】本発明の実施形態の構成を示す図
【図２】実施形態の要部の構成を示す図
【図３】実施形態の要部の動作を説明するための図
【図４】実施形態の要部の構成を示す図
【図５】周波数ずれがないときのシンボルと位相の推移の関係を示す図
【図６】周波数ずれがないときのシンボルと位相の推移の関係を示す図
【図７】周波数ずれがないときのシンボルと位相の推移の関係を示す図
【図８】周波数ずれがないときのシンボルと位相の推移の関係を示す図
【図９】周波数ずれがあるときのシンボルと位相の推移の関係を示す図
【図１０】周波数ずれがあるときのシンボルと位相の推移の関係を示す図
【図１１】参照パターンが５つのシンボルで構成される場合のシンボルと位相の推移の関係を示す図
【図１２】従来の測定方法を説明するための図
【符号の説明】
２０……搬送周波数測定装置、２１……復調処理部、２１ａ……ベースバンド変換手段、２１ｂ……位相検出手段、２１ｃ……シンボルクロック同期処理手段、２１ｄ……位相標本化手段、２１ｅ……位相推移値検出手段、２１ｆ……シンボルクロック検出手段、２２……パターン設定部、２３……位相推移値収集部、２３ａ……メモリ、２４……搬送周波数演算部、２４ａ……第１の平均演算手段、２４ｂ……第２の平均演算手段、２４ｃ……第３の平均演算手段、２４ｄ……搬送周波数算出手段
【図１】
2004088171.tif 000004
【図２】
2004088171.tif 000005
【図３】
2004088171.tif 000006
【図４】
2004088171.tif 000007
【図５】
2004088171.tif 000008
【図６】
2004088171.tif 000009
【図７】
2004088171.tif 000010
【図８】
2004088171.tif 000011
【図９】
2004088171.tif 000012
【図１０】
2004088171.tif 000013
【図１１】
2004088171.tif 000014
【図１２】
2004088171.tif 000015